(57)【要約】【課題】ユーザがコンテンツの推薦を容易に受けられるだけでなく、さらにコンテンツデータを容易に取得でき、しかも、著作権者やコンテンツ販売元の利益が守られるなど、合法性も確保されるとともに、ユーザが手軽に広く、意外性や期待感を持って、コンテンツに関する情報を取得できるようにする。【解決手段】無線端末１ａから無線端末２に、コンテンツリンク情報を含むコンテンツ付属情報を送信する。無線端末２は、そのコンテンツリンク情報をもとにネットワーク５に接続して、当該コンテンツのダウンロードを要求し、配信サーバ６は、その要求を受信して、コンテンツデータを送信する。無線端末２を直接、ネットワーク５に接続する代わりに、無線端末２をネットワーク５に接続されたホスト装置またはアクセスポイントに接続することによって、配信サーバ６にコンテンツダウンロード要求が送信されるようにしてもよい。【選択図】図１
2007053665.tif 000002
【特許請求の範囲】
【請求項１】
送信側通信装置から受信側通信装置に、コンテンツリンク情報を含むコンテンツ付属情報を送信する第１ステップと、
前記受信側通信装置または、これと接続されたホスト装置が、前記コンテンツリンク情報をもとにネットワーク上のサーバに接続して、そのサーバからコンテンツ本体データ、コンテンツ試視聴用データまたはコンテンツ関連情報を受信し、ダウンロードする第２ステップと、
を備えることを特徴とする通信方法。
【請求項２】
請求項１の通信方法において、
前記第１ステップは、前記受信側通信装置が前記送信側通信装置に対して一定の距離内に入ったとき、前記送信側通信装置と前記受信側通信装置との間の無線通信によって実行されることを特徴とする通信方法。
【請求項３】
請求項２の通信方法において、
前記送信側通信装置および前記受信側通信装置は、一定の距離内において相互に直接、無線通信によって情報を送受信できる無線端末であることを特徴とする通信方法。
【請求項４】
請求項１の通信方法において、
前記第２ステップは、前記第１ステップで前記受信側通信装置が前記送信側通信装置から前記コンテンツ付属情報を受信したとき、前記受信側通信装置の制御手段によって自動的に実行されることを特徴とする通信方法。
【請求項５】
請求項１の通信方法において、
前記第２ステップは、前記第１ステップ後、前記受信側通信装置が前記ホスト装置に接続されたとき、前記ホスト装置の制御手段によって自動的に実行されることを特徴とする通信方法。
【請求項６】
請求項１の通信方法において、
前記第２ステップは、前記第１ステップ後、前記受信側通信装置がアクセスポイントに接続されたとき、前記受信側通信装置の制御手段によって自動的に実行されることを特徴とする通信方法。
【請求項７】
請求項１の通信方法において、
前記コンテンツ付属情報は、前記送信側通信装置内のコンテンツリスト中のコンテンツに係るコンテンツ付属情報であることを特徴とする通信方法。
【請求項８】
請求項１の通信方法において、
前記第１ステップにおいて前記送信側通信装置は、前記コンテンツ付属情報に加えて、自装置を特定する情報、または自装置の使用者に関する情報を送信することを特徴とする通信方法。
【請求項９】
請求項８の通信方法において、
前記受信側通信装置または、これと接続されたホスト装置は、前記送信側通信装置またはその使用者に対してラベル付けを行い、そのラベルを次回以降において同じ通信装置または使用者からコンテンツ付属情報を受信する際の受信許否の判断材料とすることを特徴とする通信方法。
【請求項１０】
請求項１の通信方法において、
前記受信側通信装置または、これと接続されたホスト装置は、前記コンテンツ付属情報をもとにコンテンツリストを更新または新規作成することを特徴とする通信方法。
【請求項１１】
他の通信装置との間の通信によって他の通信装置からコンテンツリンク情報を含むコンテンツ付属情報を受信する通信手段と、
コンテンツを配信するサーバが接続されたネットワークに接続するネットワーク接続手段と、
情報が記録される記録手段と、
前記通信手段によって前記コンテンツ付属情報を受信したとき、前記コンテンツリンク情報をもとに前記ネットワーク接続手段によって前記サーバに接続して、そのサーバからコンテンツ本体データ、コンテンツ試視聴用データまたはコンテンツ関連情報を受信し、前記記録手段に記録する制御手段と、
を備える通信装置。
【請求項１２】
他の通信装置との間の通信によって他の通信装置からコンテンツリンク情報を含むコンテンツ付属情報を受信する通信手段と、
コンテンツを配信するサーバが接続されたネットワークに接続する機能を備えるホスト装置に接続する接続手段と、
情報が記録される記録手段と、
前記通信手段によって前記コンテンツ付属情報を受信した後、前記接続手段によって当該の通信装置が、前記ネットワークに接続された前記ホスト装置に接続されたとき、前記コンテンツリンク情報をもとに前記ホスト装置によって前記サーバに接続して、そのサーバから前記ホスト装置を介して、コンテンツ本体データ、コンテンツ試視聴用データまたはコンテンツ関連情報を受信し、前記記録手段に記録する制御手段と、
を備える通信装置。
【請求項１３】
他の通信装置との間の通信によって他の通信装置からコンテンツリンク情報を含むコンテンツ付属情報を受信する通信手段と、
コンテンツを配信するサーバが接続されたネットワークに接続されたアクセスポイントに接続する接続手段と、
前記通信手段によって前記コンテンツ付属情報を受信した後、前記接続手段によって当該の通信装置が前記アクセスポイントに接続されたとき、前記コンテンツリンク情報をもとに前記アクセスポイントを介して前記サーバに接続して、そのサーバから前記アクセスポイントを介して、コンテンツ本体データ、コンテンツ試視聴用データまたはコンテンツ関連情報を受信し、前記記録手段に記録する制御手段と、
を備える通信装置。
【請求項１４】
請求項１１，１２または１３の通信装置において、
前記通信手段は、前記他の通信装置との間で無線通信を行う無線通信手段であることを特徴とする通信装置。
【請求項１５】
請求項１１，１２または１３の通信装置において、
前記制御手段は、前記他の通信装置またはその使用者に対してラベル付けを行い、そのラベルを次回以降において同じ通信装置または使用者からコンテンツ付属情報を受信する際の受信許否の判断材料とすることを特徴とする通信装置。
【請求項１６】
請求項１１，１２または１３の通信装置において、
前記制御手段は、前記コンテンツ付属情報をもとに、前記記録手段に記録されているコンテンツリストを更新し、または新規にコンテンツリストを作成して前記記録手段に記録することを特徴とする通信装置。
【請求項１７】
請求項１１，１２または１３の通信装置において、
前記制御手段は、前記記録手段に記録されているコンテンツリンク情報を含むコンテンツ付属情報を、前記通信手段によって他の通信装置に送信することを特徴とする通信装置。
【発明の詳細な説明】
【技術分野】
【０００１】
この発明は、音楽や画像などのコンテンツに関する情報ないし音楽データや画像データなどのコンテンツデータを通信する方法および装置に関する。
【背景技術】
【０００２】
音楽データや画像データなどのコンテンツデータを、インターネットや携帯電話通信網などのネットワークを介して、配信元のサーバから、パーソナルコンピュータや携帯電話端末などにダウンロードして、音楽や画像などのコンテンツを再生し、楽しむことが普及している。
【０００３】
また、楽曲などの推薦の方法として、種々の方法が提案されており、その一つとして、特許文献１（特開２００４−５４０２３号公報）には、各ユーザが、それぞれの携帯端末に、それぞれが推薦する楽曲のリストを所持し、各端末間で、その推薦楽曲リストを交換し、あるユーザの携帯端末では、他のユーザの推薦楽曲リストをまとめた収集楽曲リストを生成して、楽曲を推薦するユーザの数によって楽曲を選択することが示されている。
【０００４】
上に挙げた先行技術文献は、以下の通りである。
【特許文献１】特開２００４−５４０２３号公報
【発明の開示】
【発明が解決しようとする課題】
【０００５】
しかしながら、特許文献１などに示された方法によって、楽曲が推薦されても、ユーザが実際に、その推薦された楽曲のデータをネットワーク上から取得し、推薦された楽曲を再生するには、ユーザは別途、ＵＲＬ（Ｕｎｉｆｏｒｍ  Ｒｅｓｏｕｒｃｅ  Ｌｏｃａｔｏｒ）など、配信元のサーバのネットワーク上のアドレスを入力し、曲名など、当該の楽曲を特定できる情報を入力して、その楽曲の購入を申し込み、楽曲データのダウンロードを要求しなければならない。
【０００６】
そこで、この発明は、ユーザがコンテンツの推薦を容易に受けられるだけでなく、さらにコンテンツデータを容易に取得することができ、しかも、著作権者やコンテンツ販売元の利益が守られるなど、合法性も確保されるとともに、ユーザが手軽に広く、意外性や期待感を持って、コンテンツに関する情報を取得することができるようにしたものである。
【課題を解決するための手段】
【０００７】
この発明の通信方法は、
送信側通信装置から受信側通信装置に、コンテンツリンク情報を含むコンテンツ付属情報を送信する第１ステップと、
前記受信側通信装置または、これと接続されたホスト装置が、前記コンテンツリンク情報をもとにネットワーク上のサーバに接続して、そのサーバからコンテンツ本体データ、コンテンツ試視聴用データまたはコンテンツ関連情報を受信し、ダウンロードする第２ステップと、
を備えることを特徴とする。
【０００８】
上記の構成の、この発明の通信方法では、受信側通信装置のユーザは、送信側通信装置からコンテンツの推薦を容易に受けられるだけでなく、コンテンツ配信サーバのネットワーク上のアドレスやコンテンツを特定できる情報を入力することなく、コンテンツデータを容易に取得することができる。
【０００９】
しかも、ユーザ間ではコンテンツ付属情報など、コンテンツに関する情報だけが送受され、コンテンツデータは別途、配信サーバから送信されるので、著作権者やコンテンツ販売元の利益が守られるなど、合法性も確保される。
【００１０】
さらに、送信側および受信側の通信装置として、近距離無線通信によって相互に直接、情報を送受信できる無線端末を用いることによって、それぞれのユーザは、街を歩いている際などに手軽に広く、意外性や期待感を持って、コンテンツに関する情報を取得することができるとともに、それぞれのユーザの匿名性も守ることができる。
【発明の効果】
【００１１】
以上のように、この発明によれば、ユーザはコンテンツの推薦を容易に受けられるだけでなく、さらにコンテンツデータを容易に取得することができ、しかも、著作権者やコンテンツ販売元の利益が守られるなど、合法性も確保されるとともに、ユーザは手軽に広く、意外性や期待感を持って、コンテンツに関する情報を取得することができる。
【発明を実施するための最良の形態】
【００１２】
［１．通信システムおよび通信方法の概要：図１〜図４］
（１−１．通信システムおよび通信方法の第１の例：図１）
図１に、この発明の通信システムの第１の例を示す。
【００１３】
この例の通信システムは、無線端末１ａおよび２、インターネットや携帯電話通信網などのネットワーク５、およびコンテンツ販売元の配信サーバ６によって構成される。
【００１４】
無線端末１ａおよび２は、それぞれ、無線ＬＡＮ（Ｌｏｃａｌ  Ａｒｅａ  Ｎｅｔｗｏｒｋ）、ＵＷＢ（Ｕｌｔｒａ  Ｗｉｄｅ  Ｂａｎｄ）、Ｂｌｕｅｔｏｏｔｈ（登録商標）などによる無線通信によって、一定の距離内において相互に直接、情報を送受信できるものであり、かつ、それぞれ直接、ネットワーク５に接続する機能を備えるものである。
【００１５】
したがって、無線端末１ａおよび２は、いずれが送信側にも受信側にも、なり得るものであるが、以下では、無線端末１ａが送信側、無線端末２が受信側として、無線端末１ａから無線端末２にコンテンツ付属情報が送信される場合を示す。
【００１６】
具体的に、無線端末１ａおよび２が起動された状態で、無線端末２を持ったユーザＸが、無線端末１ａを持ったユーザＡに対して一定の距離内に入ると、無線端末１ａから無線端末２にコンテンツ付属情報が送信され、ユーザＸは、無線端末２によってコンテンツ付属情報を受信することができる。
【００１７】
コンテンツ付属情報は、当該のコンテンツにリンクする情報、すなわち、コンテンツデータベース７上に当該のコンテンツ（コンテンツデータ）を有する配信サーバ６のネットワーク５上のアドレス、および当該のコンテンツを特定する情報を含むものである。当該のコンテンツを特定する情報は、コンテンツＩＤ（識別番号、識別コード）に限らず、コンテンツ付属情報としてコンテンツに付されたキーワードなど、配信サーバ６において当該のコンテンツを特定できる情報であればよい。
【００１８】
したがって、ユーザＸは、上記のように無線端末２によってコンテンツ付属情報を受信したら、手動操作によって無線端末２にコンテンツリンク情報を入力することなく、無線端末２をネットワーク５に接続して、配信サーバ６から当該コンテンツのコンテンツデータ（コンテンツ本体データ）を受信し、ダウンロードすることができる。
【００１９】
例えば、無線端末１ａおよび２が、相互に直接、無線通信できる端末であると同時に、携帯電話端末としての機能も備え、ネットワーク５が携帯電話通信網である場合、無線端末２が、無線端末１ａからコンテンツ付属情報を受信したとき、その場で直ちに自動的に、ネットワーク５に接続して、当該コンテンツのコンテンツデータを受信し、ダウンロードすることができる。
【００２０】
したがって、ユーザＸは、無線端末２を持って街を歩く際などに、無線端末１ａを持ったユーザＡに対して一定の距離内に入るだけで、コンテンツ付属情報を取得し、さらにコンテンツデータを取得することができる。
【００２１】
コンテンツ販売元に対するコンテンツ購入代金の支払については、あらかじめコンテンツ販売元とユーザＸとの間で、サブスクリプションサービス（月極めでユーザがコンテンツを無制限にダウンロードすることができるサービス）提供契約などが締結されていればよい。
【００２２】
（１−２．通信システムおよび通信方法の第２の例：図２）
上述した第１の例は、コンテンツ付属情報を受信した無線端末２が直接、ネットワーク５に接続し、配信サーバ６からコンテンツデータを取得して、自装置内にダウンロードする場合であるが、第２の例として、図２に示すように、コンテンツ付属情報の受信後、無線端末２をホスト装置３に接続するシステム構成としてもよい。
【００２３】
ホスト装置３は、パーソナルコンピュータやホームサーバなど、インターネットなどのネットワーク５を介して配信サーバ６に接続でき、配信サーバ６から送信されたコンテンツデータを、内部にダウンロードし、さらに無線端末２に転送できるものである。
【００２４】
無線端末２とホスト装置３の接続は、無線端末２側のコネクタをホスト装置３側のコネクタに直接装着する方法、ケーブルによる接続、または無線による接続とする。
【００２５】
この例では、図１の例のように、コンテンツ付属情報を受信したとき、その場で直ちに配信サーバ６に接続することは必ずしもできないが、ユーザＸがホスト装置３のある場所に移動して、インターネットに常時接続された状態にあるホスト装置３に無線端末２を接続することによって、無線端末２が受信したコンテンツリンク情報により自動的に、ホスト装置３から配信サーバ６に当該コンテンツのダウンロードを要求し、当該コンテンツのコンテンツデータが、配信サーバ６からホスト装置３に送信されてダウンロードされ、さらに無線端末２に転送されてダウンロードされる。
【００２６】
（１−３．通信システムおよび通信方法の第３の例：図３）
さらに、第３の例として、図３に示すように、無線端末２をアクセスポイント４を介してネットワーク５に接続するシステム構成とすることもできる。
【００２７】
この例では、コンテンツ付属情報の受信後、ユーザＸがアクセスポイント４の近くに移動して、無線端末２に対してアクセスポイント４への接続の操作をしたとき、または、あらかじめ無線端末２をアクセスポイント４に接続できる状態にしておくことによって、コンテンツ付属情報の受信後、ユーザＸがアクセスポイント４の近くに移動したとき、無線端末２とアクセスポイント４が無線通信により接続されて、無線端末２が受信したコンテンツリンク情報により自動的に、無線端末２からアクセスポイント４およびネットワーク５を介して配信サーバ６に当該コンテンツのダウンロードを要求し、当該コンテンツのコンテンツデータが、配信サーバ６からネットワーク５およびアクセスポイント４を介して無線端末２に送信され、ダウンロードされる。
【００２８】
（１−４．無線端末の例：図４）
図４に、無線端末１ａおよび２の一例を示す。無線端末１ａおよび２は、同じ構成のものとすることができるが、この例は、コンテンツが音楽（楽曲）で、無線端末１ａおよび２が音楽を再生できる場合である。
【００２９】
具体的に、無線端末１ａ，２など、上記の通信システムに用いられる無線端末は、ＣＰＵ１１を備え、そのバス１２に、プログラムやデータが書き込まれたＲＯＭ１３、およびプログラムやデータが展開されるＲＡＭ１４が接続される。
【００３０】
また、バス１２には、インタフェース１５を介して記録媒体１６が接続され、インタフェース１８を介して操作入力部１９が接続される。記録媒体１６は、ハードディスクやフラッシュメモリなどで、プログラム、コンテンツデータとしての楽曲データ、コンテンツリスト（プレイリスト、この例では楽曲リスト）、楽曲に関連する情報としての画像データ、当該の無線端末を特定する装置ＩＤ、ユーザに関する情報などが記録される。操作入力部１９は、ユーザが当該の無線端末に対して操作や入力を行うものである。
【００３１】
また、バス１２には、音声処理部２１を介して、スピーカやヘッドフォンなどの音声出力部２２が接続され、表示制御部２３を介して、液晶ディスプレイなどの表示部２４が接続される。音声出力部２２からは、再生された音楽や音声アナウンスなどが出力され、表示部２４には、操作入力用または設定用の画面、楽曲に関連する情報としての画像などが表示される。
【００３２】
さらに、バス１２には、無線ＬＡＮ、ＵＷＢ、Ｂｌｕｅｔｏｏｔｈなどの無線通信部２６を介してアンテナ２７が接続されるとともに、インターネットなどのネットワーク５に接続するための外部インタフェース２９が接続される。
【００３３】
この図４の例の、外部との接続に係る構成は、図１の例の通信システム用であるが、図２の例の通信システムに用いる無線端末１ａおよび２としては、無線端末２（１ａ）とホスト装置３の接続がコネクタ直接装着またはケーブルによる場合には、図４の例において、無線通信部２６および外部インタフェース２９とは別に、ホスト装置３に接続するためのインタフェースを設け、無線端末２（１ａ）とホスト装置３の接続が無線による場合には、図４の例において、無線通信部２６およびアンテナ２７を、ホスト装置３との接続のためにも使用する。インターネットなどのネットワーク５に直接接続するための外部インタフェース２９は、無くてもよい。
【００３４】
また、図３の例の通信システムに用いる無線端末１ａおよび２としては、図４の例において、無線通信部２６およびアンテナ２７を、アクセスポイント４との接続のためにも使用する。インターネットなどのネットワーク５に直接接続するための外部インタフェース２９は、無くてもよい。
【００３５】
［２．無線端末間の通信：図５〜図９］
図１〜図３の各例で、無線端末１ａから送信されるコンテンツ付属情報は、例えば、コンテンツリスト（プレイリスト）として生成されたものである。
【００３６】
具体的に、無線端末１ａからコンテンツ付属情報が送信される状況のもとでは、例えば、図５に示すように、無線端末１ａの図４に示した記録媒体１６によって構成される内部データベース１７ａには、楽曲ファイルＦ１，Ｆ２，Ｆ３‥‥、コンテンツリストＰ（ａ）、およびユーザ情報Ｕ（ａ）が記録されている。
【００３７】
楽曲ファイルＦ１，Ｆ２，Ｆ３‥‥は、それぞれ、コンテンツデータとしての楽曲データのファイルである。
【００３８】
コンテンツリストＰ（ａ）は、例えば、図６に示すように、複数の楽曲についての、曲名、アーチスト名、コンテンツリンク情報、およびリコメンデーション情報を記述したものである。ただし、コンテンツリストＰ（ａ）にリストアップされた楽曲は、必ずしも、その楽曲ファイルが無線端末１ａに記録されていなくてもよい。
【００３９】
コンテンツリンク情報中の“abc”は、配信サーバ６のアドレスであり、“123456”，“123457”，“123458”，“123459”は、各曲のコンテンツＩＤである。“nyaa”は、無線端末１ａのユーザＡの登録名であり、コンテンツリンク情報ではないが、コンテンツリンク情報に付加されたものである。
【００４０】
リコメンデーション情報は、ユーザＡが記載した、当該の曲を推薦するものである。ユーザ情報Ｕ（ａ）は、ユーザＡの登録名やペンネーム、ユーザＡを示すイラストなど、ユーザＡに関する情報である。この例は、ユーザＡが「にゃーえもん」というペンネームを設定した場合である。
【００４１】
さらに、無線端末１ａに対しては、これを特定する装置ＩＤが設定され、上述したように無線端末１ａの記録媒体１６に記録される。
【００４２】
図７に示す、無線端末２の図４に示した記録媒体１６によって構成される内部データベース１７ｘにも、上記のコンテンツリストＰ（ａ）と同様の形式のコンテンツリストが記録される。また、無線端末２についても、これを特定する装置ＩＤ、およびユーザＸに関する情報が設定される。
【００４３】
以上の状態で、無線端末１ａおよび２が一定の距離内に入ると、無線端末１ａおよび２は、自動的にセッションを開始し、相互に認証を行って、自装置のコンテンツリスト、装置ＩＤおよびユーザ情報を、相手側に送信する。同じ通信セッションで、無線端末１ａからの送信、および無線端末２からの送信を行うことができるが、図７には、無線端末１ａから無線端末２に、コンテンツリストＰ（ａ）、装置ＩＤ“1111xa”およびユーザ情報Ｕ（ａ）が送信されることを示す。
【００４４】
無線端末２は、これら情報を受信し、図８に示すように、装置ＩＤ“1111xa”、ペンネーム「にゃーえもん」の相手側からコンテンツリストが届いたこと、および、そのコンテンツリストＰ（ａ）を、内部データベース１７ｘ中の受信データベース領域に記録する。
【００４５】
さらに、コンテンツリストが届いたことをユーザＸに知らせるように構成することが望ましい。具体的に、受信直後に自動的に、コンテンツリストが届いたことを、図７に示すように無線端末２の表示画面２４ｘに表示し、または音声アナウンスによってユーザＸに通知し、あるいは、受信後、ユーザＸが無線端末２に対して何らかの操作をしたとき、同様の表示または音声アナウンスを行うように構成する。
【００４６】
図９に、無線端末１ａおよび２の制御手段（図４に示したＣＰＵ１１）が行う以上のような通信処理の一例を示す。
【００４７】
この例の通信処理３０では、通信開始後、まずステップ３１で、相手側の無線端末を発見したか否かを判断し、発見したときには、ステップ３２に進んで、相手側との間で、コンテンツリスト、装置ＩＤおよびユーザ情報を送受信する。
【００４８】
次に、ステップ３３で、あらかじめ設定された終了条件を満たしたか否かを判断し、終了条件を満たしていないときには、ステップ３１に戻って、上記の処理を繰り返し、終了条件を満たしたときには、通信を終了する。
【００４９】
ユーザＸが無線端末２を持って街を歩く際などには、それぞれ無線端末を持った多数のユーザと遭遇し、一度に多数のユーザからの多数のコンテンツリストが無線端末２に収集される可能性がある。
【００５０】
そこで、あらかじめ、「一度に３端末分まで」などというように終了条件を設定し、その終了条件を満たしたときには一旦、他端末との間の通信を終了するように構成する。
【００５１】
また、無線端末１ａおよび２を、表示を見るときや操作をするときなどに蓋を開ける開閉式の構造とする場合、ユーザＸが無線端末２の蓋を開けたときには一旦、他端末との間の通信を終了するように構成してもよい。
【００５２】
［３．ネットワークへの接続およびコンテンツのダウンロード：図１０〜図１２］
上記のように無線端末２でコンテンツリストを受信した後、図１〜図３の各例で上述したように、無線端末２が直接、またはホスト装置３またはアクセスポイント４を介して、ネットワーク５に接続されると、上記のコンテンツリンク情報をもとに自動的に、配信サーバ６に対してコンテンツ要求が発信され、配信サーバ６からコンテンツデータが送信される。
【００５３】
配信サーバ６から送信されたコンテンツデータは、図１の例では直接、図３の例ではアクセスポイント４を介して、無線端末２で受信され、無線端末２にダウンロードされるが、図２の例では、ホスト装置３で受信され、ホスト装置３にダウンロードされた後、またはホスト装置３にダウンロードされることなく、ホスト装置３から無線端末２に転送され、無線端末２にダウンロードされる。
【００５４】
ユーザＸがサブスクリプションサービスに登録している場合でも、無線端末２では、受信したコンテンツリスト中のコンテンツの全てにつき、コンテンツを要求し、コンテンツデータをダウンロードする必要はなく、あらかじめユーザＸが、「２０曲まで」、「最近１ケ月以内に更新されたビデオクリップ情報のみ」などのように要求対象を制限し、または特定のジャンルの音楽のみを要求取得するように、無線端末２に対して設定できるようにしてもよい。
【００５５】
配信サーバ６からは、コンテンツデータと共に、当該コンテンツに関連する情報として、アーチスト情報、ビデオクリップ情報、ジャケット写真情報、広告情報、最新のコンサート情報などが送信され、無線端末２にダウンロードされるようにしてもよい。
【００５６】
ユーザＸがサブスクリプションサービスに入会していない場合、後述のように、配信サーバ６では、コンテンツデータ（コンテンツ本体データ）に代えて、コンテンツ試視聴用データや上記のコンテンツ関連情報を送信するように、システムを構成することができる。
【００５７】
なお、携帯電話端末などで、常時ネットワーク接続されている端末では、音楽などのコンテンツをストリーミングによって受信することがある。
【００５８】
そこで、例えば、図１の例で、無線端末２が常時、ネットワーク５に接続されているような場合には、コンテンツの全てをダウンロードしないで、最初の数秒分のみを無線端末２にダウンロード（バッファリング）するようにしてもよい。
【００５９】
図１０に、無線端末２がコンテンツを要求する際の、コンテンツ要求に用いられるコンテンツリンク情報、および無線端末２の表示画面２４ｘでの表示に用いられる情報の例を示す。
【００６０】
この例は、無線端末２が、図６に示したコンテンツリストＰ（ａ）中の楽曲“123456”を要求する場合で、当該の楽曲の曲名、アーチスト名およびリコメンデーション情報が、図７中の表示画面２４ｘに示したように配置されて表示される。コンテンツリンク情報は、コンテンツ要求に用いられるが、表示されない。コンテンツリストＰ（ａ）中の他の楽曲も要求する場合には、他の楽曲の同様の付属情報が順次、同様に表示される。
【００６１】
図１１に、図２の例のようにホスト装置３を利用する場合における、コンテンツのダウンロード要求およびダウンロードの例を示す。
【００６２】
この場合、無線端末２が、ネットワーク５に常時接続された状態にあるホスト装置３に接続されると、ホスト装置３によってネットワーク５上に、楽曲“123456”のダウンロード要求（Download“http://abc/123456/nyaa/”）が送信される。
【００６３】
配信サーバ６は、その要求を受信し、コンテンツデータベース７から当該の楽曲を検索して、その楽曲ファイルＦ123456および楽曲関連情報Ｒ123456を読み出す。読み出された楽曲ファイルＦ123456および楽曲関連情報Ｒ123456は、配信サーバ６からネットワーク５を介してホスト装置３に送信され、さらにホスト装置３から無線端末２に転送されて、無線端末２の内部データベース１７ｘに記録される。
【００６４】
図１２に、図３の例のようにアクセスポイント４を利用する場合における、コンテンツのダウンロード要求およびダウンロードの例を示す。
【００６５】
この場合、無線端末２がアクセスポイント４のエリア内に入ると、無線端末２からアクセスポイント４を介してネットワーク５上に、楽曲“123456”のダウンロード要求（Download“http://abc/123456/nyaa/”）が送信される。
【００６６】
配信サーバ６は、その要求を受信し、コンテンツデータベース７から当該の楽曲を検索して、その楽曲ファイルＦ123456および楽曲関連情報Ｒ123456を読み出す。読み出された楽曲ファイルＦ123456および楽曲関連情報Ｒ123456は、配信サーバ６からネットワーク５およびアクセスポイント４を介して無線端末２に送信され、無線端末２の内部データベース１７ｘに記録される。
【００６７】
図１３に、コンテンツリストの受信からコンテンツデータのダウンロードまでの無線端末２が行う処理の一例を示す。
【００６８】
この例では、ステップ４１で、コンテンツリストを受信したら、ステップ４２で、ネットワーク５に接続されているか否かを検出し、ネットワーク５に接続されているときには、ステップ４３に進んで、配信サーバ６に接続し、さらにステップ４４に進んで、ステップ４１で受信したコンテンツリスト中の一つのコンテンツにつき、ダウンロードを要求する。
【００６９】
さらに、ステップ４５で、配信サーバ６から送信されたコンテンツデータおよびコンテンツ関連情報を受信し、ダウンロードした後、ステップ４６に進んで、ほかに要求するコンテンツがあるか否かを判断し、あるときには、ステップ４４に戻って、そのコンテンツにつき、ダウンロードを要求し、ステップ４５で、コンテンツデータおよびコンテンツ関連情報を受信し、ダウンロードする。ほかに要求するコンテンツがないときには、以上の処理を終了する。
【００７０】
［４．相手方に対するラベリング（ランキング）：図１４〜図２０］
上記のようにコンテンツデータを受信した後、以下のように、そのコンテンツのコンテンツ付属情報を送信したユーザに対してラベル付けをすると、好適である。
【００７１】
（４−１．ラベリング方法：図１４〜図１６）
無線端末２では、上記のようにコンテンツデータをダウンロードすると、例えば、図１４（Ａ）に示すように、表示画面２４ｘに再生用画面５１が表示され、ユーザＸが、その再生用画面５１中の再生ボタン５２を操作すると、図１４（Ｂ）に示すように、表示画面２４ｘに再生中画面５３が表示される。
【００７２】
これら再生用画面５１および再生中画面５３は、無線端末１ａから送信されたコンテンツ付属情報、およびコンテンツデータと共に配信サーバ６から送信されたコンテンツ関連情報から生成され、図１４の場合には、図６に示したコンテンツリストＰ（ａ）中の楽曲“123456”の楽曲付属情報、および図１１および図１２に示した楽曲“123456”の楽曲関連情報Ｒ123456（この場合は画像情報）から生成される。
【００７３】
ユーザＸは、再生された曲を聴いて、気に入ったときには、再生中画面５３中のボタン５４を操作し、そうでもないときには、再生中画面５３中のボタン５５を操作する。
【００７４】
無線端末２の制御手段は、ボタン５４が操作されたときには、当該コンテンツのコンテンツ付属情報（当該コンテンツがリストアップされたコンテンツリスト）を送信した無線端末のユーザ、すなわち図１４の場合には無線端末１ａのユーザＡ（「にゃーえもん」）に対して、１点アップする。
【００７５】
無線端末２には、ユーザＡの無線端末１ａからだけでなく、他のユーザの無線端末からもコンテンツリストなどのコンテンツ付属情報が送信され、無線端末２は、多くのユーザからコンテンツ付属情報を受信する。
【００７６】
そこで、無線端末２内には、図１５に示すような、各ユーザ（各送信者）と、そのラベルおよび無線端末の装置ＩＤとを対応づけたユーザラベルテーブルが記録される。
【００７７】
図２の例などでは、このユーザラベルテーブルは、無線端末２からホスト装置３に転送され、ホスト装置３内に蓄積されるようにしてもよい。その場合、無線端末２がホスト装置３に接続されたとき、ユーザラベルテーブルが自動的にアップデートされることが望ましい。
【００７８】
上記のようにユーザＸの操作をもとにラベル付けする場合、他のユーザに対するラベルは、図１６の式（１）で示すように、割合で表される。
【００７９】
また、あるユーザについては、特別に最高ラベルまたは最低ラベルにしたい、というような場合には、別途、最高ラベルまたは最低ラベルを設定できるようにしてもよい。
【００８０】
ラベリングは、ユーザＸの操作に基づくことなく、無線端末２が自動的に行うようにすることもできる。
【００８１】
例えば、無線端末２の制御手段は、あるユーザの推薦（コンテンツリストの送信）によって取得した楽曲を通しで１回再生するごとに、当該ユーザに対するラベルを１点、アップする。この場合には、当該ユーザに対するラベルは、図１６の式（２）で示すように、回数で表される。
【００８２】
（４−２．ラベリングによるアクセスコントロール：図１７〜図１９）
上記のように他のユーザ（端末）に付けられたラベルは、次回、同じユーザ（端末）と通信を行う際のアクセスコントロールに利用することができる。
【００８３】
例えば、あらかじめユーザＸが無線端末２に対して一定値を設定しておくことによって、一定値未満のラベルのユーザ（端末）との間では通信を行わないようにし、または、一定値未満のラベルのユーザ（端末）から送信されたコンテンツ付属情報は、受信しても記録されずに自動的に廃棄されるようにする。
【００８４】
図１７（Ａ），（Ｂ）は、無線端末２に、上記のユーザラベルテーブルとして図１５に示した内容のものが記録され、かつ上記の一定値としてラベル４が設定されている場合である。
【００８５】
この状態で、同図（Ａ）のように、ユーザＡ（「にゃーえもん」、ラベル８）の無線端末１ａ（装置ＩＤ“1111xa”）からコンテンツリストＰ（ａ）が送信された場合、無線端末２は、そのコンテンツリストＰ（ａ）を受信し記録して、コンテンツ取得処理などを実行する。
【００８６】
これに対して、同図（Ｂ）のように、ユーザＣ（“Lily Punky”、ラベル２）の無線端末１ｃ（装置ＩＤ“2222xc”）からコンテンツリストＰ（ｃ）が送信された場合、無線端末２は、そのコンテンツリストＰ（ｃ）を受信せず、または受信しても記録しないで廃棄する。
【００８７】
図１８に、このように相手側のラベルが一定値以上か否かによって処理を変更する場合の、無線端末２の制御手段が行う通信処理の一例を示す。
【００８８】
この例の通信処理６０では、通信開始後、まずステップ６１で、相手側の無線端末を発見したか否かを判断し、発見したときには、ステップ６２に進んで、相手側の装置ＩＤを受信し、さらにステップ６３に進んで、その装置ＩＤに対応する相手側のラベリング情報を呼び出す。
【００８９】
次に、ステップ６４で、相手側のラベルが設定値以上であるか否かを判断し、設定値以上でなければ、通信を終了し、設定値以上であれば、ステップ６５に進んで、相手側から送信されたコンテンツ付属情報、装置ＩＤおよびユーザ情報を受信する。
【００９０】
図１９に、相手側からのコンテンツ付属情報を一旦受信してから、相手側のラベルが一定値以上か否かによって通信を継続するか否かを決定する場合の、無線端末２の制御手段が行う通信処理の一例を示す。
【００９１】
この例の通信処理７０では、通信開始後、まずステップ７１で、相手側の無線端末を発見したか否かを判断し、発見したときには、ステップ７２に進んで、相手側から送信されたコンテンツ付属情報、装置ＩＤおよびユーザ情報を受信する。
【００９２】
次に、ステップ７３で、その装置ＩＤに対応する相手側のラベリング情報を呼び出し、さらにステップ７４に進んで、相手側のラベルが設定値以上であるか否かを判断する。
【００９３】
そして、相手側のラベルが設定値以上でなければ、ステップ７４からステップ７５に進んで、ステップ７２で受信したコンテンツ付属情報を廃棄し、相手側のラベルが設定値以上であれば、ステップ７４からステップ７６に進んで、ステップ７２で受信したコンテンツ付属情報を記録する。
【００９４】
ユーザＸ（無線端末２）が過去にコンテンツ付属情報を受信したことのない、いまだラベル付けされていない相手側については、その相手側からのコンテンツ付属情報が受信記録されるべきであるが、ユーザＸ（無線端末２）が過去にコンテンツ付属情報を受信したことのある、ラベリング付けされている相手側についても、その受信回数が少ない（ユーザＸが遭遇した機会が少なかった）ためにラベルが低い場合には、その相手側からのコンテンツ付属情報を受信記録することが望ましい。
【００９５】
そこで、ラベリングによるアクセスコントロールとしては、過去の受信回数が所定回数（例えば３回）以上で、かつラベルが設定値に満たない相手側については、その相手側からのコンテンツ付属情報が受信または記録されず、すなわち結果的に受信されず、過去の受信回数が所定回数に満たない相手側、またはラベルが設定値以上の相手側については、その相手側からのコンテンツ付属情報が受信記録される、すなわち結果的に受信されるようにすることもできる。
【００９６】
なお、このようなラベルによる選別とは別に、あらかじめユーザＸが無線端末２に対して、“Ｐｏｐ”や“Ｒｏｃｋ”などのように自身の好みのコンテンツジャンルを指定しておき、無線端末２の制御手段は、コンテンツ付属情報を受信したとき、そのコンテンツがユーザＸが指定したジャンルのコンテンツか否かを判断して、ユーザＸが指定したジャンルのコンテンツであるときにのみ、そのコンテンツ付属情報を記録するように（結果的に受信するように）してもよい。
【００９７】
（４−３．ラベリングの他の利用例：図２０）
相手方に付けられたラベルは、ユーザＸが次回、同じ相手に遭遇したときに送信するメッセージを作成するための資料とすることができる。
【００９８】
メッセージは、無線端末２上で作成し、または、図２のホスト装置３などのホスト装置上で作成して、無線端末２に転送する。
【００９９】
図２０に、メッセージ作成用画面の一例を示す。この例では、メッセージ作成用画面５７の左上部に、相手のペンネームなどが表示され、その下に相手のラベルが表示され、メッセージ作成用画面５７の右上部に、これまでに出会った日時が表示され、メッセージ作成用画面５７の下部に、メッセージ作成欄５８が表示される。
【０１００】
このメッセージ作成欄５８に入力されたメッセージは、無線端末２から送信される。「遭遇する」「出会う」と言っても、ユーザＸは、必ずしも相手と直接、顔を合わせるものではないが、例えば、品川を歩いていたとき、当該の相手と出会ったとすれば、品川を歩くとき、メッセージを送信することによって、当該の相手がメッセージを受信する可能性が高くなる。
【０１０１】
［５．受信したコンテンツ付属情報の利用：図２１〜図２７］
（５−１．受信側でのコンテンツリストの更新または作成：図２１〜図２４）
無線端末２で他端末からコンテンツリストを受信したとき、無線端末２で自端末のコンテンツリストを更新すると、好適である。
【０１０２】
具体的に、図２１に示すように、無線端末１ａからコンテンツリストＰ（ａ）が送信され、そのコンテンツリストＰ（ａ）を無線端末２が受信したとき、無線端末２では、内部データベース１７ｘ上のコンテンツリストＰ（ｘ）を、受信したコンテンツリストＰ（ａ）に基づいて更新する。
【０１０３】
例えば、無線端末１ａから受信したコンテンツリストＰ（ａ）を、図２２に示す内容のものとし、無線端末２が持っているコンテンツリストＰ（ｘ０）を、図２３に示す内容のものとすると、更新後のコンテンツリストＰ（ｘ１）は、更新前のコンテンツリストＰ（ｘ０）の内容に、受信したコンテンツリストＰ（ａ）の内容が加えられて、図２４に示すように、各コンテンツが、アーチスト名順、アルバム名順、ジャンル順、年代順、受信順などに分類され、アルファベット順にマージされて表示されるものとする。
【０１０４】
受信したコンテンツリストＰ（ａ）にあるコンテンツで、更新後のコンテンツリストＰ（ｘ１）に加えるものは、配信サーバ６からコンテンツ本体データを取得したものに限らず、試視聴用データを取得しただけのコンテンツでもよい。
【０１０５】
図２４に示すように、受信したコンテンツリストにあったコンテンツについては、そのコンテンツリストの送り手を示すイラストなどが付記されるようにすると、好適である。
【０１０６】
なお、無線端末２では、受信したコンテンツ付属情報（コンテンツリスト）をもとに、新規にコンテンツリストを作成するようにしてもよい。
【０１０７】
（５−２．相手方の表示：図２５）
ユーザＸが外出先などで何人かの相手方と出会ってコンテンツリストを取得した後には、無線端末２の表示画面２４ｘに、または無線端末２が接続されたホスト装置の表示画面に、図２５に示すように、その日に出会った相手方のペンネームやイラスト、その相手方に出会った時刻、その相手方から取得したコンテンツリストにリストアップされているコンテンツが、一覧表示されるようにすると、好適である。
【０１０８】
これにより、ユーザは、どの相手方から、どの時間帯に（したがって、どの場所で）、どれだけの数のコンテンツについての情報を取得したかを、一目で確認することができる。
【０１０９】
なお、無線端末２をＧＰＳ（Ｇｌｏｂａｌ  Ｐｏｓｉｔｉｏｎｉｎｇ  Ｓｙｓｔｅｍ）による測位機能を備えるものとすれば、ユーザＸが相手方と出会ってコンテンツ付属情報を受信した場所を検出し、受信した時刻と対応づけて記録することができる。
【０１１０】
（５−３．ホスト装置上での各種処理：図２６）
コンテンツリストの受信後、無線端末２をホスト装置に接続して、受信したコンテンツリストを無線端末２からホスト装置に転送することによって、ホスト装置上で各種の処理を行うことができる。
【０１１１】
図２６に、その一例を示す。上述したようにユーザＸが外出先などで相手方と出会ってコンテンツリストを取得した後、自宅などに帰って無線端末２をホスト装置３に接続すると、無線端末２で受信したコンテンツリストが、無線端末２からホスト装置３に転送され、ホスト装置３のデータベース（記憶装置部）９に記録される。
【０１１２】
転送されるのは、コンテンツ付属情報としてのコンテンツリストだけであり、図２６の例では、ユーザＡから取得したコンテンツリストＰ（ａ）、ユーザＣから取得したコンテンツリストＰ（ｃ）、およびユーザＤから取得したコンテンツリストＰ（ｄ）である。
【０１１３】
ホスト装置３では、これらコンテンツリストが、図２５に示したような形式で一覧表示されるとともに、ネットワーク５に接続されていれば、自動的に配信サーバ６にコンテンツ購入要求が送信され、これによって、配信サーバ６からコンテンツデータが送信され、ホスト装置３にダウンロードされる。
【０１１４】
ホスト装置３にダウンロードされるだけで、ホスト装置３から無線端末２への転送は、ユーザＸの指定によって実行されるようにしてもよく、または、ホスト装置３にダウンロードされたコンテンツデータは、自動的にホスト装置３から無線端末２に転送され、ダウンロードされるようにしてもよい。
【０１１５】
図２６は、ホスト装置３からネットワーク５上に、楽曲“123456”の購入要求（Buy “http://abc/123456/nyaa/”）が送信され、配信サーバ６からネットワーク５を介してホスト装置３に、当該楽曲の楽曲ファイルＦ123456および楽曲関連情報Ｒ123456が送信される状態を示している。
【０１１６】
ホスト装置３では、そのほか、一部または全部のコンテンツリストの削除、コンテンツリストからの一部のコンテンツの削除、上述したラベリングなどの処理を行うことができる。
【０１１７】
なお、配信サーバ６からホスト装置３に、実際にコンテンツデータを送信する代わりに、ユーザＸがコンテンツデータを取得できる権利を有することを示す情報を送信し、ユーザＸが別途、その情報によってコンテンツデータを取得し、無線端末２とは別の装置でコンテンツを再生できるようにすることもできる。
【０１１８】
（５−４．受信したコンテンツリストの別の端末への転送：図２７）
あるユーザの無線端末から受信したコンテンツリストは、そのまま、別のユーザの無線端末に送信してもよい。
【０１１９】
図２７に、ユーザＸの無線端末２で、ユーザＡの無線端末１ａからコンテンツリストＰ（ａ）を受信し、内部データベース１７ｘに記録した後、そのコンテンツリストＰ（ａ）を、別のユーザＣの無線端末１ｃに送信する場合を示す。
【０１２０】
この場合、転送するコンテンツリストＰ（ａ）には、それがユーザＡ（「にゃーえもん」）の無線端末１ａ（装置ＩＤ“1111xa”）から得た情報であることを付加することが望ましい。
【０１２１】
［６．試視聴用データの取得と試視聴後のコンテンツ購入：図２８〜図３２］
上述したように、図１〜図３の各例で、ユーザＸがサブスクリプションサービスに入会していない場合には、配信サーバ６は、ユーザＸに対してコンテンツ試視聴用データを送信し、ユーザＸは、試視聴後、さらに配信サーバ６に接続して、コンテンツを購入し、コンテンツ本体データを取得するように、システムを構成することができる。
【０１２２】
コンテンツ試視聴用データは、コンテンツの一部のデータ、コンテンツ全体のデータではあるが、コンテンツ本体データに対して音質や画質などの品質を落としたデータ、または本編のコンテンツに対して予告編や宣伝用などとして作成されたコンテンツのデータである。以下に、コンテンツが楽曲である場合につき示す。
【０１２３】
（６−１．試聴用データの取得と試聴：図２８〜図３０）
図１〜図３の各例で、コンテンツ付属情報としてコンテンツリストを受信した後、無線端末２が直接または、ホスト装置３またはアクセスポイント４を介してネットワーク５に接続されると、自動的に、配信サーバ６から試聴用データが送信され、無線端末２にダウンロードされる。
【０１２４】
図２８に、図２の例のようにホスト装置３を利用する場合における、試聴用データのダウンロード要求およびダウンロードの例を示す。
【０１２５】
この場合、無線端末２が、ネットワーク５に常時接続された状態にあるホスト装置３に接続されると、ホスト装置３によってネットワーク５上に、楽曲“123456”の試聴用データのダウンロード要求（Preview“http://abc/123456/nyaa/”）が送信される。
【０１２６】
配信サーバ６は、その要求を受信し、コンテンツデータベース７から当該の楽曲を検索して、その試聴用データファイルＰ123456および楽曲関連情報Ｒ123456を読み出す。読み出された試聴用データファイルＰ123456および楽曲関連情報Ｒ123456は、配信サーバ６からネットワーク５を介してホスト装置３に送信され、さらにホスト装置３から無線端末２に転送されて、無線端末２の内部データベース１７ｘに記録される。
【０１２７】
図２９に、図３の例のようにアクセスポイント４を利用する場合における、試聴用データのダウンロード要求およびダウンロードの例を示す。
【０１２８】
この場合、無線端末２がアクセスポイント４のエリア内に入ると、無線端末２からアクセスポイント４を介してネットワーク５上に、楽曲“123456”の試聴用データのダウンロード要求（Preview“http://abc/123456/nyaa/”）が送信される。
【０１２９】
配信サーバ６は、その要求を受信し、コンテンツデータベース７から当該の楽曲を検索して、その試聴用データファイルＰ123456および楽曲関連情報Ｒ123456を読み出す。読み出された試聴用データファイルＰ123456および楽曲関連情報Ｒ123456は、配信サーバ６からネットワーク５およびアクセスポイント４を介して無線端末２に送信され、無線端末２の内部データベース１７ｘに記録される。
【０１３０】
以上の場合の無線端末２が行う処理は、図１３の例でコンテンツデータ（コンテンツ本体データ）が試聴用データに代えられる以外は、図１３の例と同じである。
【０１３１】
試聴用データがダウンロードされると、無線端末２は試聴準備完了状態となる。このとき、上述したコンテンツリスト更新などの方法によって自動的に、試聴用データがダウンロードされたコンテンツが無線端末２のコンテンツリストに登録される。
【０１３２】
無線端末２では、このように試聴用データをダウンロードすると、例えば、図３０（Ａ）に示すように、表示画面２４ｘに試聴用画面８１が表示され、ユーザＸが、その試聴用画面８１中の再生ボタン８２を操作すると、図３０（Ｂ）に示すように、表示画面２４ｘに試聴中画面８３が表示される。
【０１３３】
ユーザＸは、再生された曲を試聴して、コンテンツを購入しようとするときには、視聴中画面８３中の選択ボタン８４を操作した後、購入手続き移行ボタン８５を操作する。
【０１３４】
（６−２．コンテンツ購入と推薦者へのアフィリエイト：図３１および図３２）
コンテンツ購入に当たっては、ユーザＡ（登録名“ｎｙａａ”）およびユーザＸ（登録名“ｔａｒｏｂｅ”）が共に、コンテンツ販売元の配信サーバ６に対して、決裁に関するユーザ登録を済ませているものとする。
【０１３５】
ユーザＸが、上記のように購入手続き移行ボタン８５を操作すると、図３１に示すように、無線端末２の表示画面２４ｘに購入用画面８７が表示され、購入対象のコンテンツ（この場合は曲名）、その価格、購入者（この場合はユーザＸ（“ｔａｒｏｂｅ”））などが呈示される。
【０１３６】
そして、ユーザＸが、その購入用画面８７を確認して、購入確定ボタン８８を操作すると、コンテンツ購入手続きに進む。
【０１３７】
図３２に、図３の例のようにアクセスポイント４を利用する場合に、購入確定ボタン８８が操作されたときの、コンテンツ購入手続きを示す。
【０１３８】
この場合、無線端末２からアクセスポイント４を介してネットワーク５上に、楽曲“123456”の購入要求（Buy“http://abc/123456/nyaa/”）が送信され、配信サーバ６は、その要求を受信し、決裁処理を行った上で、ユーザＸに対して当該楽曲の楽曲ファイルＦ123456を送信する。
【０１３９】
決裁処理は、決裁データベース上に、アフィリエイトユーザ、購入コンテンツＩＤ、決済額および購入ユーザをエントリーし、これにアフィリエイトユーザの口座データを関連づけることによって行う。
【０１４０】
アフィリエイトシステムは、一般には、商品（サービスを含む）を販売する企業ＴとＷｅｂサイトなどを運営する者（個人または企業）Ｒが契約して、運営者Ｒが自身のＷｅｂサイトなどで企業Ｔの商品の広告掲載や推薦を行い、それを見た第三者Ｕが企業Ｔから商品を購入したときには、企業Ｔから運営者Ｒに対して報酬が与えられるシステムである。
【０１４１】
上記の例のシステムでは、配信サーバ６（コンテンツ販売元）が企業Ｔ、ユーザＡが運営者Ｒ、ユーザＸが第三者Ｕに相当するので、配信サーバ６では、ユーザＡ（“ｎｙａａ”）にアフィリエイトを与える処理が実行される。
【０１４２】
アフィリエイトは、一定額、または当該コンテンツの価格に対してある割合の額の、報酬を支払うものであるが、いわゆるポイント制によって、ポイントを加算するものでもよい。ポイント制の場合には、配信サーバ６と連動するＷｅｂサーバなどで、登録されたユーザごとにポイントランキングが表示されるシステムとすることもできる。
【０１４３】
なお、配信サーバ６から無線端末２に、実際にコンテンツデータを送信する代わりに、ユーザＸがコンテンツデータを取得できる権利を有することを示す情報を送信し、ユーザＸが別途、その情報によってコンテンツデータを取得し、無線端末２とは別の装置でコンテンツを再生できるようにすることもできる。また、少額の決裁には、いわゆるマイクロペイメントを利用することもできる。
【０１４４】
［７．他の実施形態］
上述した例では、コンテンツが音楽（楽曲）の場合を主として示したが、この発明は、画像（動画または静止画）や、ブログ（ｂｌｏｇ）など、ネット上のコンテンツについても、適用することができる。
【０１４５】
例えば、画像の場合であれば、無線端末１ａおよび２を、それぞれデジタルカメラの機能を備えるものとして、無線端末１ａから無線端末２に、画像のサムネイルと実ファイルが存在するＵＲＬとを送信し、無線端末２が、そのＵＲＬによりネットワークに接続することによって自動的に、実ファイルを取得できるシステムとすることができる。
【０１４６】
また、ブログなど、ネット上のコンテンツの場合であれば、送信側の通信装置から受信側の通信装置にＵＲＬのみを送信し、受信側の通信装置が、そのＵＲＬによりネットワークに接続することによって自動的に、ブログのページをダウンロードできるシステムとすることができる。
【図面の簡単な説明】
【０１４７】
【図１】この発明の通信システムの第１の例を示す図である。
【図２】この発明の通信システムの第２の例を示す図である。
【図３】この発明の通信システムの第３の例を示す図である。
【図４】この発明の通信装置の一例を示す図である。
【図５】送信側通信装置の送信時の状況の例を示す図である。
【図６】コンテンツリストの一例を示す図である。
【図７】通信装置間での情報送受信の例を示す図である。
【図８】コンテンツリスト受信時の受信側通信装置の状況の例を示す図である。
【図９】通信装置での通信処理の一例を示す図である。
【図１０】コンテンツ要求時の通信装置での表示の例を示す図である。
【図１１】コンテンツのダウンロード要求およびダウンロードの例を示す図である。
【図１２】コンテンツのダウンロード要求およびダウンロードの例を示す図である。
【図１３】ダウンロード時の通信装置が行う処理の一例を示す図である。
【図１４】再生用画面および再生中画面の例を示す図である。
【図１５】ユーザラベルテーブルの一例を示す図である。
【図１６】ラベル算出式の例を示す図である。
【図１７】ラベリングによるアクセスコントロールの例を示す図である。
【図１８】ラベリングによるアクセスコントロールの処理の例を示す図である。
【図１９】ラベリングによるアクセスコントロールの処理の例を示す図である。
【図２０】メッセージ作成用画面の例を示す図である。
【図２１】コンテンツリストの更新の説明に供する図である。
【図２２】受信したコンテンツリストの例を示す図である。
【図２３】更新前のコンテンツリストの例を示す図である。
【図２４】更新後のコンテンツリストの表示の例を示す図である。
【図２５】相手方についての一覧表示の例を示す図である。
【図２６】ホスト装置上での各種の処理を示す図である。
【図２７】受信したコンテンツリストの別の通信装置への転送の例を示す図である。
【図２８】試聴用データのダウンロードの例を示す図である。
【図２９】試聴用データのダウンロードの例を示す図である。
【図３０】試聴用画面および試聴中画面の例を示す図である。
【図３１】購入用画面の例を示す図である。
【図３２】試聴後のコンテンツ購入手続きの例を示す図である。
【符号の説明】
【０１４８】
主要部については図中に全て記述したので、ここでは省略する。
【図１】
2007053665.tif 000003
【図２】
2007053665.tif 000004
【図３】
2007053665.tif 000005
【図４】
2007053665.tif 000006
【図５】
2007053665.tif 000007
【図６】
2007053665.tif 000008
【図７】
2007053665.tif 000009
【図８】
2007053665.tif 000010
【図９】
2007053665.tif 000011
【図１０】
2007053665.tif 000012
【図１１】
2007053665.tif 000013
【図１２】
2007053665.tif 000014
【図１３】
2007053665.tif 000015
【図１４】
2007053665.tif 000016
【図１５】
2007053665.tif 000017
【図１６】
2007053665.tif 000018
【図１７】
2007053665.tif 000019
【図１８】
2007053665.tif 000020
【図１９】
2007053665.tif 000021
【図２０】
2007053665.tif 000022
【図２１】
2007053665.tif 000023
【図２２】
2007053665.tif 000024
【図２３】
2007053665.tif 000025
【図２４】
2007053665.tif 000026
【図２５】
2007053665.tif 000027
【図２６】
2007053665.tif 000028
【図２７】
2007053665.tif 000029
【図２８】
2007053665.tif 000030
【図２９】
2007053665.tif 000031
【図３０】
2007053665.tif 000032
【図３１】
2007053665.tif 000033
【図３２】
2007053665.tif 000034